(57)【特許請求の範囲】
【請求項１】
熱交換器（110）及び送風装置（120）が配置されるファン室（FR）と、圧縮機（130）が配置される機械室（MR）とを内包するケーシング（200）を備え、前記熱交換器（110）は、側面が対向するように上下に配列されて内部に冷媒通路が形成された複数の扁平管と、該複数の扁平管の両端にそれぞれ設けられて上下方向に延びる一対のヘッダ集合管（113，114）とを備え、前記ケーシング（200）は、天面板（211）と、底面板（221）と、前記ファン室の前面を覆う第１前面板（231）と、前記ファン室の側面を覆う第１側面板（232）と、前記機械室の前面を覆う第２前面板（251）と、前記機械室の側面を覆う第２側面板（240）と、前記機械室の後面を覆う後面板（261）とを有し、前記熱交換器（110）が前記ファン室の後面に配置され、かつ前記熱交換器（110）の一方の前記ヘッダ集合管（113）が、前記機械室（MR）側の前記後面板（261）の後縁部（267）の近傍に配置され、前記熱交換器（110）の前記ヘッダ集合管（113）の近傍で、前記天面板（211）の周縁に設けられた周側部（212）と前記後面板（261）とが締結部材（268）により締結されている室外機（100）について、この室外機（100）を梱包する空気調和機用の梱包部材であって、
少なくとも前記室外機（100）の上部を保護する上部梱包部材（10）を備え、
前記上部梱包部材（10）は、前記天面板（211）のうちで、前記機械室（MR）の中央部に対応する部分に接触する接触部と、前記後面板（261）の上方かつ前記締結部材（268）よりも前記第２側面板（240）側に位置する前記天面板（211）の天面後端部（NI）に接触する後方接触部（27c）と、前記締結部材（268）と前記ヘッダ集合管（113）とを含む領域の上方に位置する天面後中寄部（NE）に接触しない非接触部（27b）と、前記非接触部（27b）を間にして前記後方接触部（27c）の反対側の部分に配置されかつ前記天面板（211）と接触する補助接触部（27a）とを有する
ことを特徴とする空気調和機用の梱包部材。
【請求項２】
請求項１に記載の空気調和機用の梱包部材において、
前記室外機（100）は、前記ケーシング（200）の前記第１側面板（232）の後部に後角部（233）が設けられたものであって、
前記上部梱包部材（10）は、前記ケーシング（200）の前記天面板（211）のうちで、前記第１前面板（231）と前記第１側面板（232）により構成される角部の上方に位置する天面角部に接触する第１接触部（25）と、
前記第１側面板（232）の後部の前記後角部（233）の上方に位置する天面角部に接触する第２接触部（26）と、
前記第２側面板（240）と前記後面板（261）により構成される角部の上方に位置する天面角部に接触する接触部であって前記後方接触部（27c）を含む第３接触部（27）とを有する
ことを特徴とする空気調和機用の梱包部材。
【請求項３】
請求項２に記載の空気調和機用の梱包部材において、
前記上部梱包部材（10）は、
前記第１接触部（25）と前記第２接触部（26）とを有する第１緩衝材（21）と、
前記第３接触部（27）と前記補助接触部（27a）とを有する第２緩衝材（22）と、
前記第１緩衝材（21）と前記第２緩衝材（22）とを連結する第３緩衝材（23）及び第４緩衝材（24）とを備え、
前記第３緩衝材（23）と前記第４緩衝材（24）が並行に配置されている
ことを特徴とする空気調和機用の梱包部材。
【請求項４】
請求項３に記載の空気調和機用の梱包部材において、
前記上部梱包部材（10）は、更に、前記第１緩衝材（21）と前記第２緩衝材（22）と前記第３緩衝材（23）と前記第４緩衝材（24）とを収納する上トレー（11）を備えている
ことを特徴とする空気調和機用の梱包部材。
【発明の詳細な説明】
【技術分野】
【０００１】
本発明は、室外機を梱包する空気調和機用の梱包部材に関する。
【背景技術】
【０００２】
図１１に、従来の室外機３００を示す。
空気調和機の室外機３００は、熱交換器３１０と、送風装置３２０と、圧縮機３３０と、これらを収容するケーシングとを備えている。
【０００３】
図１１に示すように、ケーシング４００は、熱交換器３１０及び送風装置３２０が配置されるファン室ＦＲと、圧縮機３３０が配置される機械室ＭＲとを有する。ケーシング４００は、天面板と、底面板と、ファン室ＦＲの前面を覆う第１前面板４０１と、側面を覆う第１側面板４０２と、機械室ＭＲの前面を覆う第２前面板４０３、側面を覆う第２側面板４０４と、後面を覆う後面板４０５とを備えている。熱交換器３１０の端部に設けられている管板３１１は、機械室ＭＲの後面板４０５の後縁部４０５ａの近傍に配置されている。管板３１１は天面板を支持する。なお、特許文献１に示されるように、管板３１１は、ファン室ＦＲと機械室ＭＲとを仕切る仕切板の一部として形成されている場合もある。
【０００４】
ところで、室外機３００は、梱包部材で梱包されて保管される。
梱包部材は、室外機３００の上部両側を保護する上部梱包部材と、室外機３００の下部の下部両側を保護する下部梱包部材とにより構成されている（特許文献２参照）。
【０００５】
室外機３００は段積みされることがある。例えば、空気調和機の製造工場において完成した室外機３００は、梱包部材により梱包された状態で段積みされる。また、出荷された室外機３００は倉庫において段積みして保管される。海外に搬送されるときは、梱包部材により梱包された状態で段積みされ、搬送される。このように、空気調和機の室外機３００は、種々の場面で段積みされる。
【０００６】
段積みは、１段目のパネルに室外機３００を整列して並べる。次に２段目のパネルに室外機３００を整列して並べ、これをフォークリフトにより第１段目の室外機３００の上に載置する。これを繰り返して、２段〜４段にする。
【先行技術文献】
【特許文献】
【０００７】
【特許文献１】特開２００９−１３８９５１号公報
【特許文献２】特開２００３−９５３６９号公報
【発明の概要】
【発明が解決しようとする課題】
【０００８】
室外機３００の軽量化のため、アルミニウム製の熱交換器（例えば、所謂マイクロチャネル熱交換器）が採用される場合がある。この種の熱交換器は、熱交換器の端部を支持する管板３１１を備えていない。
【０００９】
このような、管板３１１の備えていない熱交換器を含む室外機の場合、室外機の段積みのとき、次のような問題が発生する。
室外機を段積みすると、下段の室外機にこの室外機の上に載置されている室外機の荷重が加わる。荷重が天面板の全体に加わるときは室外機のケーシングが変形することは殆どないが、天面板の一方に偏って荷重が加わると、ケーシングが変形することがある。例えば、構造的に弱い部分に偏って荷重が加わると、ケーシングが変形するおそれが高くなる。特に、機械室ＭＲ側の後面板４０５の後縁部４０５ａは構造的に弱い。このため、従来構造の室外機３００おいては、後面板４０５の後縁部４０５ａの近傍に管板３１１を配置し、管板３１１により天面板を支持する。これにより、後面板４０５の後縁部４０５ａに過大な荷重が加わらないようにしている。しかし、管板３１１のない熱交換器を採用する室外機においては、管板３１１の不存在に起因して、このような構造を採ることができない。このようなことから、従来構造の室外機３００（管板により天面板を支持している構造の室外機３００）に比べ、ケーシングが変形する可能性が高くなっている。
【００１０】
本発明はこのような実情に鑑みてなされたものであり、その目的は、ケーシングの変形を抑制することができる空気調和機用の梱包部材を提供することにある。
【課題を解決するための手段】
【００１１】
請求項１に記載の発明は、熱交換器及び送風装置が配置されるファン室と、圧縮機が配置される機械室とを内包するケーシングを備え、前記熱交換器は、側面が対向するように上下に配列されて内部に冷媒通路が形成された複数の扁平管と、該複数の扁平管の両端にそれぞれ設けられて上下方向に延びる一対のヘッダ集合管とを備え、前記ケーシングは、天面板と、底面板と、前記ファン室の前面を覆う第１前面板と、前記ファン室の側面を覆う第１側面板と、前記機械室の前面を覆う第２前面板と、前記機械室の側面を覆う第２側面板と、前記機械室の後面を覆う後面板とを有し、前記熱交換器が前記ファン室の後面に配置され、かつ前記熱交換器の一方の前記ヘッダ集合管が、前記機械室側の前記後面板の後縁部の近傍に配置され、前記熱交換器の前記ヘッダ集合管の近傍で、前記天面板の周縁に設けられた周側部と前記後面板とが締結部材により締結されている室外機について、この室外機を梱包する空気調和機用の梱包部材であって、少なくとも前記室外機の上部を保護する上部梱包部材を備え、前記上部梱包部材は、前記天面板のうちで、前記機械室の中央部に対応する部分に接触する接触部と、前記後面板の上方かつ前記締結部材よりも前記第２側面板側に位置する前記天面板の天面後端部に接触する後方接触部と、前記締結部材と前記ヘッダ集合管とを含む領域の上方に位置する天面後中寄部に接触しない非接触部と、前記非接触部を間にして前記後方接触部の反対側の部分に配置されかつ前記天面板と接触する補助接触部とを有することを要旨とする。
【００１２】
室外機のケーシングのうちで機械室側の後面板の後縁部は構造的に弱い。このため、ケーシングに過大な荷重が加わると、機械室側の後面板の後縁部が変形するおそれがある。この点、本発明では、上部梱包部材に、天面板のうちで、機械室側の後面板の後縁部の近くに配置されているヘッダ集合管の上方に位置する天面後中寄部に接触しない非接触部を設けている。このような構造によれば、上部梱包部材は、天面板の天面後中寄部に接触しないため、室外機に荷重が加わったとき、後面板の後縁部には荷重が加わらない。このため、機械室側の後面板の後縁部が変形することが抑制される。
【００１３】
空気調和機用の梱包部材において、前記室外機は、前記天面板の周縁に設けられた周側部と前記後面板とを締結する締結部材が前記熱交換器の前記ヘッダ集合管の近傍に設けられ、かつ前記締結部材が前記非接触部に対応する部分に配置されているものであって、前記上部梱包部材には、前記後面板の上方かつ前記締結部材よりも前記第２側面板側に位置する前記天面板の天面後端部に接触する後方接触部と、前記非接触部を間にして前記後方接触部の反対側の部分に配置されかつ前記天面板と接触する補助接触部とが設けられている。
【００１４】
室外機の天面板の締結構造と上部梱包部材の非接触部との位置関係において、次のような配置となる場合がある。すなわち、天面板の周側部と後面板とを締結する締結部材が熱交換器のヘッダ集合管の近傍に設けられ、かつ締結部材が非接触部に下方に配置されることがある。このような配置関係にある場合、次の問題が生じる。すなわち、天面板の機械室側の部分に過大な荷重が加わるとき、荷重が、天面板において締結部材による締結部よりも外側（第２側面板側）に荷重が加わることがあり、この結果、天面板の中央部が持ち上がって天面板が変形することがある。そこで、本発明では、上部梱包部材に、後方接触部を設け、更に、非接触部を間にしてこの後方接触部の反対側の部分に、天面板に接触する補助接触部を設けている。すなわち、締結部材の両側を後方接触部及び補助接触部で押さえる。これにより、天面板の中央部の持ち上がりを抑制し、天面板が変形することを抑制することができる。
【００１５】
請求項２に記載の発明は、請求項１に記載の空気調和機用の梱包部材において、前記室外機は、前記ケーシングの前記第１側面板の後部に後角部が設けられたものであって、前記上部梱包部材は、前記ケーシングの前記天面板のうちで、前記第１前面板と前記第１側面板により構成される角部の上方に位置する天面角部に接触する第１接触部と、前記第１側面板の後部の前記後角部の上方に位置する天面角部に接触する第２接触部と、前記第２側面板と前記後面板により構成される角部の上方に位置する天面角部に接触する接触部であって前記後方接触部を含む第３接触部とを有することを要旨とする。
【００１６】
この発明の上部梱包部材は、天面板のうちで、ケーシングの３つの角部のそれぞれに対応する部分で接触する。このため、室外機に荷重が加わるとき、構造的に強い部分であるケーシングの角部に力が加わるため、ケーシングの変形を抑制することができる。
【００１７】
請求項３に記載の発明は、請求項２に記載の空気調和機用の梱包部材において、前記上部梱包部材は、前記第１接触部と前記第２接触部とを有する第１緩衝材と、前記第３接触部と前記補助接触部とを有する第２緩衝材と、前記第１緩衝材と前記第２緩衝材とを連結する第３緩衝材及び第４緩衝材とを備え、前記第３緩衝材と前記第４緩衝材が並行に配置されていることを要旨とする。
【００１８】
この発明によれば、上部梱包部材の中央部に空間が設けられる。このため、上部梱包部材を形成するための原料を少なくすることができる。
請求項４に記載の発明は、請求項３に記載の空気調和機用の梱包部材において、前記上部梱包部材は、更に、前記第１緩衝材と前記第２緩衝材と前記第３緩衝材と前記第４緩衝材とを収納する上トレーを備えていることを要旨とする。
【００１９】
第１緩衝材、第２緩衝材、第３緩衝材及び第４緩衝材が互いに連結して構成される上部梱包部材の場合、各緩衝材同士の接続部分の緩みにより、緩衝材同士の配置が定まらないことがある。このため、上部梱包部材を室外機に嵌めにくいというデメリットが生じる。そこで、本発明では、上トレー内に第１〜第４緩衝材を収納し、これらの緩衝材を保持する。これにより、上部梱包部材を室外機に嵌め易くすることができる。
【発明の効果】
【００２０】
本発明によれば、ケーシングの変形を抑制することができる空気調和機用の梱包部材を提供することができる。
【図面の簡単な説明】
【００２１】
【図１】梱包状態の室外機の斜視図。
【図２】室外機と梱包部材とを分離した状態を示す斜視図。
【図３】室外機の分解斜視図。
【図４】天板を外した状態の室外機の平面図。
【図５】上部梱包部材の斜視図。
【図６】上部梱包部材の分解斜視図。
【図７】緩衝部材の斜視図。
【図８】上部梱包部材の各接触部と室外機の各構成要素との配置関係を示す平面図。
【図９】（ａ）〜（ｄ）は、荷重が加えられたときの室外機について、後方からみた室外機の斜視図。
【図１０】上部梱包部材の変形例について、（ａ）〜（ｄ）はそれぞれ変形例の接触部の配置を示す模式図。
【図１１】従来の室外機について、天板を外した室外機の平面図。
【発明を実施するための形態】
【００２２】
図１を参照して、室外機の梱包方法について説明する。
室外機１００は、梱包部材１と結束バンド２７０を用いて梱包される。
梱包部材１は、室外機１００の上部を保護する上部梱包部材１０と、室外機１００の下部を保護する下部梱包部材３０とを備えている。
【００２３】
室外機１００の下部とは、鉛直方向において、室外機１００が設置されるときの地面側に配置される部分を示し、室外機１００の上部とは、鉛直方向において、下部の反対側の部分を示す。室外機１００において排気側を前部といい、前部の反対側を後部という。
【００２４】
室外機１００を梱包するときは、上部梱包部材１０を室外機１００の上部に嵌め、下部梱包部材３０を室外機１００の下部に嵌める。そして、４本の結束バンド２７０を、室外機１００、上部梱包部材１０及び下部梱包部材３０の周囲に回して締め付ける。
【００２５】
図２に、室外機１００の梱包を解いた状態を示す。
図２に示されるように、下部梱包部材３０は、紙製（例えばダンボール）の下トレー３１と、２本の支持板３２と、２個の樹脂製（例えば、発泡スチロール）の緩衝材３３と、２個の支持板３２を連結する連結部材３４とを備えている。
【００２６】
下トレー３１は、２本の支持板３２と、２個の緩衝材３３と、連結部材３４とを収容する。下トレー３１には、結束バンド２７０を位置決めするための凹部３５が８箇所設けられている。緩衝材３３のそれぞれには、室外機１００の脚台１０１を載置する載置部３３ａが設けられている。上部梱包部材１０については後述する。
【００２７】
図３を参照して、室外機１００の構成を説明する。
室外機１００は、熱交換器１１０と、モータ１２１及び回転翼１２２を有する送風装置１２０と、圧縮機１３０と、圧縮機１３０等を制御する制御装置１４０と、熱交換器１１０及び送風装置を支持する支持台１５０と、これらの装置を収容するケーシング２００とを備えている。
【００２８】
室外機１００の内部空間は、仕切板２０１により、ファン室ＦＲと機械室ＭＲに区画されている。ファン室ＦＲには、熱交換器１１０と送風装置１２０が収容されている。機械室ＭＲには、圧縮機１３０と制御装置１４０が収容されている。
【００２９】
熱交換器１１０としては、所謂マイクロチャネル熱交換器が採用されている。具体的な構成は次のとおり。熱交換器１１０は、複数本の扁平管１１１と、複数の伝熱フィン１１２と、２本のヘッダ集合管１１３，１１４とを備えている。扁平管１１１と伝熱フィン１１２とヘッダ集合管１１３，１１４は、アルミニウムにより形成されている。
【００３０】
扁平管１１１は、冷媒流通方向に対して垂直の断面において、上下方向に薄い扁平形状であり、この断面の左右方向に複数の冷媒通路が形成されている。これらの扁平管１１１は、側面が互いに対向するように上下方向に間隔をあけて配列されている。扁平管１１１の間には、複数枚の伝熱フィン１１２が互いに平行に配置されている。伝熱フィン１１２は、その主面が扁平管１１１の延長方向に対して垂直となるように、配置されている。ヘッダ集合管１１３，１１４は、それぞれ扁平管１１１の端部に、上下方向に延びるように取り付けられ、所定の扁平管１１１を他の所定の扁平管１１１に連結する。これにより、ヘッダ集合管１１３，１１４は、扁平管１１１に流通する冷媒を合流または分流する。なお、以降の説明では、２本のヘッダ集合管１１３，１１４を区別して説明するときは、機械室ＭＲ側に配置されているヘッダ集合管を第１ヘッダ集合管１１３と称し、ファン室ＦＲ側に配置されているヘッダ集合管を第２ヘッダ集合管１１４と称す。
【００３１】
熱交換器１１０の両端部（すなわちヘッダ集合管１１３，１１４）は、取付部材１１５によりケーシング２００に取り付けられている。
また、熱交換器１１０は、送風装置１２０のモータ１２１を支持する支持台１５０によって支持されている。
【００３２】
なお、取付部材１１５は、ヘッダ集合管１１３，１１４に固定されるヘッダ固定部材と、ケーシング２００に固定されるケース固定部材と、ヘッダ固定部材とケース固定部材との間を絶縁する絶縁部材により形成されている。これにより、金属イオンの移動経路を遮断し、ヘッダ集合管１１３，１１４とケーシング２００との間で生じる電食を抑制している。
【００３３】
支持台１５０は、ファン室ＦＲの後側でかつ中央部に設けられている。支持台１５０は、２本の支柱１５１と、熱交換器１１０を固定するための取付板１５２とを備えている。取付板１５２は天面板２１１に当接する。支持台１５０の前部には、送風装置１２０のモータ１２１が取り付けられている。支持台１５０の後部には、熱交換器１１０が取り付けられている。
【００３４】
ケーシング２００は、天板２１０と、底板２２０と、第１外板２３０と、第２外板２５０と、第３外板２６０とを備えている。
ケーシング２００の各要素は、鋼板により形成されている。
【００３５】
天板２１０は、天面板２１１と、天面板２１１の周縁に設けられた周側部２１２とを備えている。天面板２１１には、天板２１０の強度を高くするために段部２１３が形成されている。
【００３６】
底板２２０は、底面板２２１と、底面板２２１の周縁に設けられた周側部２２２とを備えている。底面板２２１の内面には、支持台１５０が取付けられる支持台固定部２２３が形成されている。底面板２２１の外面（外部に面する面）には、２本の脚台１０１が取付けられている。
【００３７】
第１外板２３０は、ファン室ＦＲの前面を覆う第１前面板２３１と、ファン室ＦＲの側面を覆う第１側面板２３２と、ファン室ＦＲの角部を覆う後角部２３３とを有する。
第１前面板２３１には排気口２３１ａが形成されている。排気口２３１ａには、排気グリル２３６が取り付けられている。第１前面板２３１の上部には、天面板２１１に当接する当接部２３５が形成されている。第１前面板２３１の側縁部（第２前面板２５１側の側縁部）には、第２前面板２５１と係合する係合部２３４が設けられている。
【００３８】
第１側面板２３２には、複数の吸気口２３２ａが形成されている。各吸気口２３２ａは、略矩形に形成されている。第１側面板２３２の上部には、天面板２１１に当接する当接部２３５が形成されている。
【００３９】
第２外板２５０は、機械室ＭＲの前面を覆う第２前面板２５１と、機械室ＭＲの側面の一部を覆う第２前側面板２５２とを有する。なお、第２前側面板２５２と後述の第２後側面板２６２とは機械室ＭＲの側面を覆う第２側面板２４０を構成する。第２前面板２５１の側縁部には、第１前面板２３１の係合部２３４と係合する係合部２５７が形成されている。
【００４０】
第２外板２５０には、第２前面板２５１と第２前側面板２５２とにより構成される角部のうちの底板２２０側の下側角部において、機械室ＭＲ内の配管と室内機からの配管とを接続するための第１開口部２５３が設けられている。第１開口部２５３は第１蓋２５４で覆われている。第１蓋２５４は、締結部材で底板２２０に締結される。なお、第１蓋２５４は、第２前面板２５１に締結されている場合もある。第１蓋２５４には、配管を通すための貫通孔２５５が形成されている。第２前面板２５１の上部及び第２前側面板２５２の上部には、天面板２１１に当接する当接部２５６が形成されている。
【００４１】
第３外板２６０は、機械室ＭＲの後面を覆う後面板２６１と、機械室ＭＲの側面の後方部分を覆う第２後側面板２６２とを有する。第３外板２６０には、後面板２６１と第２後側面板２６２とにより構成される角部のうちの底板２２０側の下側角部に、機械室ＭＲ内の配管と室内機からの配管とを接続するための第２開口部２６３が設けられている。第２開口部２６３は第２蓋２６４で覆われている。第２蓋２６４は、締結部材により、第２後側面板２６２と底板２２０に締結されている。第２蓋２６４には、配管を通すための貫通孔２６５が形成されている。後面板２６１の上部及び第２後側面板２６２の上部には、天板２１０に当接する当接部２６６が形成されている。
【００４２】
図４を参照して、室外機１００の各要素の配置関係を説明する。
室外機１００は、上方からみたとき、略矩形に形成されている。ファン室ＦＲと機械室ＭＲとは横並びに配置されている。室外機１００のファン室ＦＲの前面、側面及び後面は第１外板２３０により覆われている。室外機１００の機械室ＭＲの前面、側面及び後面は第２外板２５０及び第３外板２６０により覆われている。すなわち、室外機１００のファン室ＦＲの後面は外板に覆われていない。
【００４３】
熱交換器１１０は、熱交換器１１０がファン室ＦＲの後面から側面に亘って配置されている。すなわち、熱交換器１１０の一方の端部（すなわち第１ヘッダ集合管１１３）は、後面板２６１の後縁部２６７の近傍に配置されている。熱交換器１１０の他方の端部（すなわち第２ヘッダ集合管１１４）は、第１側面板２３２の近傍に配置されている。
【００４４】
図５〜図７を参照して、上部梱包部材１０について説明する。
図５及び図６に示すように、上部梱包部材１０は、紙製（例えばダンボール）の上トレー１１と、樹脂製（例えば発泡スチロール）の緩衝部材２０とを備えている。緩衝部材２０は４つの緩衝材（以下、それぞれ第１緩衝材２１〜第４緩衝材２４という。）を備えている。
【００４５】
上トレー１１は、第１緩衝材２１、第２緩衝材２２、第３緩衝材２３、及び第４緩衝材２４を収容する。上トレー１１には、結束バンド２７０を位置決めするための凹部１２が８箇所に設けられている。
【００４６】
第１緩衝材２１は、室外機１００の上部であってファン室ＦＲ側の側部を保護する。第２緩衝材２２は、室外機１００の上部であって機械室ＭＲ側の側部を保護する。第３緩衝材２３及び第４緩衝材２４は、第１緩衝材２１と第２緩衝材２２を互いに連結する。
【００４７】
第１緩衝材２１に対し第３緩衝材２３及び第４緩衝材２４は、それぞれ嵌込構造により連結されている。また、第２緩衝材２２に対し第３緩衝材２３及び第４緩衝材２４は、それぞれ嵌込構造により連結されている。ここで、嵌込構造とは、一方の部材に形成された凹部と、他方の部材に形成された凸部とが嵌合することにより、２つの部材が互いに締結される構造を示す。
【００４８】
図７に、緩衝部材２０の斜視図を示す。
第１緩衝材２１は、第１本体部２１ａと、天板２１０の周側部２１２に当接する第１当接部２１ｂとを備えている。第１本体部２１ａには、天板２１０の天面板２１１に接触する第１接触部２５と第２接触部２６が形成されている。
【００４９】
第２緩衝材２２は、第２本体部２２ａと、天板２１０の周側部２１２に当接する第２当接部２２ｂとを備えている。第２本体部２２ａには、天板２１０の天面板２１１に接触する第３接触部２７と補助接触部２７ａとが形成されている。また、第２本体部２２ａには、天板２１０の天面板２１１に接触しない非接触部２７ｂが設けられている。図７に示すように、補助接触部２７ａは、非接触部２７ｂを間にして第３接触部２７の反対側に設けられている。
【００５０】
第３緩衝材２３は、棒状の第３本体部２３ａを備えている。第３本体部２３ａには、天板２１０の天面板２１１に接触する第５接触部２９が形成されている。第３緩衝材２３の両端には、それぞれ嵌合構造としての凸部が形成されている。
【００５１】
第４緩衝材２４は、棒状の第４本体部２４ａを備えている。第４本体部２４ａには、天板２１０の天面板２１１に接触する第４接触部２８が形成されている。第３緩衝材２３の両端には、それぞれ嵌合構造としての凸部が形成されている。
【００５２】
図８を参照して、各接触部２５〜２９，２７ａ及び非接触部２７ｂと、室外機１００の各構成要素との配置関係について説明する。なお、図８において、室外機１００の天板２１０と各接触部２５〜２９，２７ａとが接触する部分をドットで示す。
【００５３】
第１接触部２５は、天面板２１１の第１天面角部ＮＡに接触する。ここで、第１天面角部ＮＡとは、天面板２１１において、第１前面板２３１と第１側面板２３２により構成される角部の上方に位置する部分を示す。
【００５４】
第２接触部２６は、天面板２１１の第２天面角部ＮＢに接触する。ここで、第２天面角部ＮＢとは、天板２１０において、第１側面板２３２の後部の後角部２３３の上方に位置する部分を示す。
【００５５】
第３接触部２７は、天面板２１１の第３天面角部ＮＣ及び天面後端部ＮＩを含む部分に接触する。すなわち、第３接触部２７は、天面板２１１において第３天面角部ＮＣから機械室ＭＲの中央部に対応する部分までの範囲で、天面板２１１と接触する。ここで、第３天面角部ＮＣとは、天面板２１１において、後面板２６１と第２後側面板２６２とにより構成される角部の上方に位置する部分を示す。天面後端部ＮＩとは、天面板２１１において、後面板２６１の上方かつ締結部材２６８よりも第２側面板２４０側に位置する部分を示す。
【００５６】
非接触部２７ｂは、天面板２１１の天面後中寄部ＮＥに対応して設けられている。
すなわち、室外機１００の上部に上部梱包部材１０を嵌めたときに、天面後中寄部ＮＥの上方に配置されるように、非接触部２７ｂが形成されている。ここで、天面後中寄部ＮＥとは、天面板２１１において、熱交換器１１０の第１ヘッダ集合管１１３の上方に位置する部分を示す。なお、本実施形態では、天面後中寄部ＮＥに対応する部分において、天板２１０の周側部２１２と後面板２６１が締結部材２６８（例えばボルト）で互いに締結されている。
【００５７】
補助接触部２７ａは、天面後中寄部ＮＥよりも中央寄りの部分ＮＦに対応して設けられている。すなわち、室外機１００の上部に上部梱包部材１０を嵌めたときに、部分ＮＦの上方に配置されるように、補助接触部２７ａが形成されている。ここで、天面後中寄部ＮＥよりも中央寄りの部分ＮＦとは、天板２１０において、熱交換器１１０の第１ヘッダ集合管１１３が配置される部分よりも室外機１００の左右方向の中央寄りの部分を示す。すなわち、補助接触部２７ａは、非接触部２７ｂを間にして第３接触部２７の反対側の部分に設けられている。
【００５８】
第４接触部２８は、天面板２１１の前部ＮＧに接触する。ここで、前部ＮＧとは、天面板２１１において、第１前面板２３１の係合部２３４と第２前面板２５１の係合部２５７とが係合する結合部に対応する部分を示す。
【００５９】
第５接触部２９は、天面板２１１の中央支持部ＮＨに接触する。ここで、中央支持部ＮＨとは、天面板２１１において、支持台１５０の上部に取り付けられている取付板１５２のうちで２本の支柱１５１に直接的に支持されている支持部分を示す。
【００６０】
図９を参照して、室外機１００に荷重が加わったときの上部梱包部材１０の作用について説明する。なお、図９は、後方から、梱包状態の室外機１００の機械室ＭＲ側を見た図であり、図１のＡ−Ａ線に沿った断面図を示す。
【００６１】
図９（ａ）は、従来構造の上部梱包部材５００で梱包された室外機１００において、天面板２１１の機械室ＭＲ側部分に過大な荷重が加わっている状態を示す。
従来構造の上部梱包部材５００は、後面板２６１に対応する部分の全体に亘って天面板２１１と接触する。このため、上部梱包部材５００に荷重が加わったとき、第２緩衝材５１０が変形し、これにより、矢印Ｂのように天面板２１１が下方に撓む。この結果、後面板２６１の後縁部２６７に過大な荷重が加わり、後面板２６１の後縁部２６７はその荷重に耐えられず変形する。
【００６２】
そこで、図９（ｂ）に示すように、後面板２６１の後縁部２６７に荷重が加わらないように、上部梱包部材１０に非接触部２７ｂを形成する。
このような構成の場合は、天面板２１１の機械室ＭＲ側部分に過大な荷重が加わることによって第２緩衝材２２が変形したとしても、天面後中寄部ＮＥに第２緩衝材２２が接触しないため、天面後中寄部ＮＥには荷重が加わらず、ひいては後面板２６１の後縁部２６７にも荷重が加わらない。これにより、第３外板２６０の変形が抑制される。
【００６３】
図９（ｃ）に示すように、締結部材２６８が非接触部２７ｂに対応するところに配置されている場合は、本実施形態のように補助接触部２７ａを設けることが好ましい。
締結部材２６８が、非接触部２７ｂに対応するところに配置されている場合、天板２１０の機械室ＭＲ側（例えば、機械室ＭＲの天面の中央部分）に過大な荷重が加わったとき、締結部材２６８が力の支点となって、図９（ｃ）の矢印Ｃのように天面板２１１の中央部が上方に盛り上がることがある。このため、図９（ｄ）に示すように、上部梱包部材１０のように非接触部２７ｂを間にして後方接触部２７ｃの反対側のところに補助接触部２７ａを設ける。
【００６４】
図９（ｄ）は、本実施形態の上部梱包部材１０によって梱包された室外機１００において、機械室ＭＲ側に過大な荷重が加わった状態を示す。
本実施形態の上部梱包部材１０は、機械室ＭＲ側の後面板２６１に対応する部分において、天面板２１１において、天面後端部ＮＩと、天面後中寄部ＮＥよりも中央寄りの部分ＮＦとに接触する。一方、熱交換器１１０の第１ヘッダ集合管１１３の上方に位置する部分（天面後中寄部ＮＥ）には接触しない。すなわち、天面板２１１の天面後中寄部ＮＥの両側に荷重が加わる。従って、天面板２１１の天面後中寄部ＮＥに荷重が加わらないため、第３外板２６０の変形が抑制される。また、天面板２１１の中央部の持ち上がりが補助接触部２７ａにより押さえられるため、及び天面板２１１の変形が抑制される。
【００６５】
図１０を参照して、上部梱包部材１０の変形例を示す。
本実施形態の上部梱包部材１０では、第１緩衝材２１の第１接触部２５と第２接触部２６とを分離する。すなわち、第１接触部２５と第２接触部２６との間に、天面板２１１と接触しない非接触部を設けている。
【００６６】
これに対して、図１０（ａ）に示す上部梱包部材１０は、第１接触部２５と第２接触部２６に代えて、一つの接触部４０を有する。また、図７に示すような補助接触部２７ａを設けていない。更に、第３緩衝材２３と第４緩衝材２４を省略している。このような構成でも、後面板２６１の後縁部２６７に荷重が殆ど加わらないため、第３外板２６０の変形を抑制することができる。
【００６７】
図１０（ｂ）に、図１０（ａ）に示す上部梱包部材１０の変形例を説明する。
図１０（ｂ）に示す上部梱包部材１０は、図１０（ａ）に示した上部梱包部材１０において、第３接触部２７を拡大した構造の接触部４１を有する。すなわち、接触部４１は、天板２１０の第３天面角部ＮＣ及び第４天面角部ＮＤに接触する。ここで、第３天面角部ＮＣとは、上記したとおりである。第４天面角部ＮＤとは、天面板２１１において、第２前面板２５１と第２前側面板２５２とにより構成される角部の上方に位置する部分を示す。このような構成でも、後面板２６１の後縁部２６７に荷重が殆ど加わらないため、第３外板２６０の変形を抑制することができる。
【００６８】
図１０（ｃ）に、図１０（ａ）に示す上部梱包部材１０の別の変形例を説明する。
図１０（ｃ）に示す上部梱包部材１０は、図１０（ａ）に示した上部梱包部材１０において、第３接触部２７と第４接触部２８（図８参照）を連結した構造の接触部４２を有する。このような構成でも、後面板２６１の後縁部２６７に荷重が殆ど加わらないため、第３外板２６０の変形を抑制することができる。
【００６９】
図１０（ｄ）に示す上部梱包部材は、図１０（ｃ）に示した上部梱包部材１０において、補助接触部２７ａを設けたものである。このような構成においては、上記図９（ｄ）において説明した作用と同様の作用があるため、非接触部２７ｂ（図７参照）に対応する部分に締結部材２６８が設けられている室外機１００において、天面板２１１の変形を抑制することができる。
【００７０】
次に、本実施形態の効果を説明する。
（１）本実施形態の梱包部材１は、室外機１００の上部を保護する上部梱包部材１０を備える。上部梱包部材１０は、天面板２１１のうちで、熱交換器１１０の第１ヘッダ集合管１１３の上方に位置する天面後中寄部ＮＥに接触しない。すなわち、上部梱包部材１０には、天面後中寄部ＮＥに接触しない非接触部２７ｂが設けられている（図８及び図１０参照）。
【００７１】
室外機１００のケーシング２００のうちで後面板２６１の後縁部２６７は上下方向の荷重に弱い。このため、天板２１０に過大な荷重が加わると、後面板２６１の後縁部２６７が変形するおそれがある。この点を考慮し、本実施形態では、上部梱包部材１０に、熱交換器１１０の第１ヘッダ集合管１１３の上方に位置する天面後中寄部ＮＥに接触しない非接触部２７ｂを設けている。このような構造によれば、室外機１００に荷重が加わったとき、後面板２６１の後縁部２６７には荷重が加わりにくくなるため、後面板２６１の後縁部２６７の変形を抑制することができる。
【００７２】
（２）室外機１００の天板２１０の締結構造と上部梱包部材１０の非接触部２７ｂとの位置関係において、次のような配置となる場合がある。
図８に示すように、天板２１０の周側部２１２と機械室ＭＲ側の後面板２６１とを締結する締結部材２６８が熱交換器１１０の端部（すなわち、第１ヘッダ集合管１１３）の近傍に設けられ、かつ締結部材２６８が非接触部２７ｂに対応する部分に配置されることがある。このような配置関係にある場合、次の問題が生じる。すなわち、天面板２１１のうちで機械室ＭＲ側に過大な荷重が加わるとき、荷重が、締結部材２６８の締結部よりも外側（第２前側面板２５２側または第２後側面板２６２側）に荷重が加わることがあり、この結果、天面板２１１の中央部が持ち上がって天面板２１１が変形することがある。そこで、本実施形態では、上部梱包部材１０に、後方接触部２７ｃを含む第３接触部２７を設け、更に、非接触部２７ｂを間にしてこの後方接触部２７ｃの反対側の部分に、天面板２１１に接触する補助接触部２７ａを設けている。これにより、天面板２１１の中央部の持ち上がりを抑制し、天面板２１１が変形することを抑制することができる。
【００７３】
（３）本実施形態の上部梱包部材１０は、図８に示すように、少なくとも、天面板２１１のうちの第１天面角部ＮＡに接触する第１接触部２５と、第２天面角部ＮＢに接触する第２接触部２６と、第３天面角部ＮＣに接触する第３接触部２７とを有する。このため、室外機１００に荷重が加わるとき、構造的に強い部分であるケーシング２００の角部に力が加わるため、ケーシング２００の変形を抑制することができる。
【００７４】
（４）本実施形態の上部梱包部材１０は、図８に示すように、第１接触部２５と、第２接触部２６と、第３接触部２７と、第４接触部２８と、第５接触部２９とを有する。このため、室外機１００に荷重が加わると、構造的に強い部分であるケーシング２００の角部、第１前面板２３１と第２前面板２５１が互いに係合する結合部、及び支持台１５０に力が加わるため、ケーシング２００の変形を抑制することができる。
【００７５】
（５）本実施形態の上部梱包部材１０は、第１接触部２５と第２接触部２６とを有する第１緩衝材２１と、第３接触部２７と補助接触部２７ａとを有する第２緩衝材２２と、第１緩衝材２１と第２緩衝材２２とを連結する第３緩衝材２３及び第４緩衝材２４とを備えている。そして、第３緩衝材２３と第４緩衝材２４は並行に配置されている。すなわち、上部梱包部材１０の中央部に空間が設けられる。このため、上部梱包部材１０を形成するための原料を少なくすることができる。
【００７６】
（６）本実施形態の上部梱包部材１０は、更に、第１緩衝材２１、第２緩衝材２２、第３緩衝材２３、及び第４緩衝材２４とを収納する上トレー１１を備えている。すなわち、上トレー１１内に第１〜第４緩衝材２１〜２４を収納し、これらの緩衝材２１〜２４を保持する。これにより、上部梱包部材１０を室外機１００に嵌め易くすることができる。
【００７７】
［変形例］
なお、本発明の実施態様は上記に示した態様に限られるものではなく、これを例えば以下に示すように変更して実施することもできる。また以下の各変形例は、上記各実施形態についてのみ適用されるものではなく、異なる変形例同士を互いに組み合わせて実施することもできる。
【００７８】
・上記実施形態では、ケーシング２００を３枚の外板（すなわち、第１外板２３０、第２外板２５０、及び第３外板２６０）により構成しているが、ケーシング２００の構成はこれに限定されない。例えば、第２外板２５０と第３外板２６０を一体構造とし、一枚板のプレスにより形成してもよい。
【００７９】
・上記実施形態では、第１〜第４緩衝材２１〜２４を樹脂で形成しているが、ダンボール等により形成してもよい。また、ダンボールと樹脂との複合材料により形成することもできる。
【００８０】
・上記実施形態では、図１０において、上部梱包部材１０の変形例を挙げているが、変形例はこれらに限定されない。各接触部の形状は、室外機１００の構成とともに適宜変更される。
【符号の説明】
【００８１】
１…梱包部材、１０…上部梱包部材、１１…上トレー、１２…凹部、２０…緩衝部材、２１…第１緩衝材、２１ａ…第１本体部、２１ｂ…第１当接部、２２…第２緩衝材、２２ａ…第２本体部、２２ｂ…第２当接部、２３…第３緩衝材、２３ａ…第３本体部、２４…第４緩衝材、２４ａ…第４本体部、２５…第１接触部、２６…第２接触部、２７…第３接触部、２８…第４接触部、２９…第５接触部、２７ａ…補助接触部、２７ｂ…非接触部、２７ｃ…後方接触部、３０…下部梱包部材、３１…下トレー、３２…支持板、３３…緩衝材、３３ａ…載置部、３４…連結部材、３５…凹部、４０…接触部、４１…接触部、４２…接触部、１００…室外機、１０１…脚台、１１０…熱交換器、１１１…扁平管、１１２…伝熱フィン、１１３…第１ヘッダ集合管、１１４…第２ヘッダ集合管、１１５…取付部材、１２０…送風装置、１２１…モータ、１２２…回転翼、１３０…圧縮機、１４０…制御装置、１５０…支持台、１５１…支柱、１５２…取付板、２００…ケーシング、２０１…仕切板、２１０…天板、２１１…天面板、２１２…周側部、２１３…段部、２２０…底板、２２１…底面板、２２２…周側部、２２３…支持台固定部、２３０…第１外板、２３１…第１前面板、２３１ａ…排気口、２３２…第１側面板、２３２ａ…吸気口、２３３…後角部、２３４…係合部、２３５…当接部、２３６…排気グリル、２４０…第２側面板、２５０…第２外板、２５１…第２前面板、２５２…第２前側面板、２５３…第１開口部、２５４…第１蓋、２５５…貫通孔、２５６…当接部、２５７…係合部、２６０…第３外板、２６１…後面板、２６２…第２後側面板、２６３…第２開口部、２６４…第２蓋、２６５…貫通孔、２６６…当接部、２６７…後縁部、２６８…締結部材、２７０…結束バンド、３００…室外機、３１０…熱交換器、３１１…管板、３２０…送風装置、３３０…圧縮機、４００…ケーシング、４０１…第１前面板、４０２…第１側面板、４０３…第２前面板、４０４…第２側面板、４０５…後面板、４０５ａ…後縁部、５００…上部梱包部材、５１０…第２緩衝材。
【図１】
0005790585.tif 000002
【図２】
0005790585.tif 000003
【図３】
0005790585.tif 000004
【図４】
0005790585.tif 000005
【図５】
0005790585.tif 000006
【図６】
0005790585.tif 000007
【図７】
0005790585.tif 000008
【図８】
0005790585.tif 000009
【図９】
0005790585.tif 000010
【図１０】
0005790585.tif 000011
【図１１】
0005790585.tif 000012